(57)【要約】【課題】  主局側から地方局のスタジオまたは中継車へ、切換（キュー）までの残時間を正確に通知して表示する放送時間表示システムを提供する。【解決手段】  コマンド部２は、オペレータから残時間が入力されると内蔵する標準時計を参照してキュー時刻を算出して伝送部３を介してリモート表示部２へ送信し、リモート表示部２は、受信したキュー時刻とコマンド２の標準時計に同期した内部の標準時計から取得した現在時刻情報との差から残時間を求めることにより伝送部３等で発生する伝送遅延時間の影響を避けて正確な残時間を表示する。【選択図】  図１
2007060361.tif 000002
【特許請求の範囲】
【請求項１】
主局に設置されるコマンド部から地方局、または中継車等に設置されるリモート表示部へ向けて番組の切換タイミングまでの残時間情報を伝送部を介して通知して表示する放送時間表示システムにおいて、
第１の標準時計と、番組の切換タイミングまでの残り時間を出力するキュー設定部と、前記第１の標準時計の時刻情報を入力し、前記キュー設定部から前記残時間が入力された場合、前記残時間が入力された時刻に前記残時間を加えたキュー時刻を生成して出力する第１の計算部と、前記計算部が出力する前記キュー時刻を前記伝送部を介して送信する送信部とを備えるコマンド部と、
前記第１の標準時計と同期した時刻情報を出力する第２の標準時計と、前記伝送部から前記キュー時刻を受信する受信部と、前記受信部が受信した前記キュー時刻と、前記第２の標準時計から入力される時刻情報との間の差を求めて、前記切換タイミングまでの残時間を算出する第２の計算部と、前記第２の計算部が前記算出した前記残時間を表示するキュー表示部とを備えるリモート表示部とを具備する
事を特徴とする放送時間表示システム。
【請求項２】
地方局、または中継車等に設置されるコマンド部から主局に設置されるリモート表示部へ向けて番組の切換タイミングまでの残時間情報を伝送部を介して通知して表示する放送時間表示システムにおいて、
第１の標準時計と、番組の切換タイミングまでの残り時間を出力するキュー設定部と、前記第１の標準時計の時刻情報を入力し、前記キュー設定部から前記残時間が入力された場合、前記残時間が入力された時刻に前記残時間を加えたキュー時刻を生成して出力する第１の計算部と、前記計算部が出力する前記キュー時刻を前記伝送部を介して送信する送信部とを備えるコマンド部と、
前記第１の標準時計と同期した時刻情報を出力する第２の標準時計と、前記伝送部から前記キュー時刻を受信する受信部と、前記受信部が受信した前記キュー時刻と、前記第２の標準時計から入力される時刻情報との間の差を求めて、前記切換タイミングまでの残時間を算出する第２の計算部と、前記第２の計算部が前記算出した前記残時間を表示するキュー表示部とを備えるリモート表示部とを具備する
事を特徴とする放送時間表示システム。
【請求項３】
前記キュー表示部は、前記番組の信号を切り換える切換信号を出力する事を特徴とする請求項１または、２に記載の放送時間表示システム。
【請求項４】
主局から地方局、または中継車等へ向けて番組の切換タイミングまでの残時間情報を伝送する伝送部を介して通知して表示する放送時間表示システムの表示制御方法において、
前記放送時間表示システムは、主局に設置されるコマンド部と、地方局または中継車等に設置されるリモート表示部と、伝送部とを備え、
前記コマンド部は、
第１の標準時計と、番組の切換タイミングまでの残り時間を出力するキュー設定部と、計算部と、送信部とを備え、前記計算部は、前記第１の標準時計の時刻情報を入力し、前記キュー設定部から前記残時間が入力された場合、前記残時間が入力された時刻に前記残時間を加えたキュー時刻を生成して前記送信部へ出力し、前記計算部から前記キュー時刻が入力された前記送信部は、前記キュー時刻を更に前記伝送部へ送信し、
前記伝送部は、送信された前記キュー時刻を前記リモート表示部へ伝送し、
前記リモート表示部は、受信部と、前記第１の標準時計と同期した時刻情報を出力する第２の標準時計と、第２の計算部と、キュー表示部とを備え、前記伝送部から前記キュー時刻を受信した受信部は、前記受信したキュー時刻を前記第２の計算部へ出力し、前記キュー時刻を入力した前記第２の計算部は、前記受信した前記キュー時刻と、前記第２の標準時計から入力される時刻情報との間の差を求めて、前記切換タイミングまでの第２の残時間を算出してキュー表示部へ出力し、前記第２の計算部が前記出力した前記第２の残時間を受信した前記キュー表示部は、前記第２の残時間を表示する
ことを特徴とする放送時間表示システムの表示制御方法。
【請求項５】
地方局、または中継車等から主局へ向けて番組の切換タイミングまでの残時間情報を伝送する伝送部を介して通知して表示する放送時間表示システムの表示制御方法において、
前記放送時間表示システムは、地方局または中継車等に設置されるコマンド部と、主局に設置されるリモート表示部と、伝送部とを備え、
前記コマンド部は、
第１の標準時計と、番組の切換タイミングまでの残り時間を出力するキュー設定部と、計算部と、送信部とを備え、前記計算部は、前記第１の標準時計の時刻情報を入力し、前記キュー設定部から前記残時間が入力された場合、前記残時間が入力された時刻に前記残時間を加えたキュー時刻を生成して前記送信部へ出力し、前記計算部から前記キュー時刻が入力された前記送信部は、前記キュー時刻を更に前記伝送部へ送信し、
前記伝送部は、送信された前記キュー時刻を前記リモート表示部へ伝送し、
前記リモート表示部は、受信部と、前記第１の標準時計と同期した時刻情報を出力する第２の標準時計と、第２の計算部と、キュー表示部とを備え、前記伝送部から前記キュー時刻を受信した受信部は、前記受信したキュー時刻を前記第２の計算部へ出力し、前記キュー時刻を入力した前記第２の計算部は、前記受信した前記キュー時刻と、前記第２の標準時計から入力される時刻情報との間の差を求めて、前記切換タイミングまでの第２の残時間を算出してキュー表示部へ出力し、前記第２の計算部が前記出力した前記第２の残時間を受信した前記キュー表示部は、前記第２の残時間を表示する
ことを特徴とする放送時間表示システムの表示制御方法。
【請求項６】
前記キュー表示部は、前記番組の信号を切り換える切換信号を出力する事を特徴とする請求項４に記載の放送時間表示システムの表示制御方法。
【発明の詳細な説明】
【技術分野】
【０００１】
本発明は、放送局のスタジオ間等で番組の残り放送時間を表示する放送時間表示システム、およびその表示制御方法に関する。
【背景技術】
【０００２】
放送局では、報道番組などで主局のスタジオと地方局のスタジオ、または中継車等からの中継放送を生中継する場合に、例えば、中継車からの放送切換タイミングを各スタジオにいるアナウンサー、ディレクター、および放送機材のオペレータ等に通知している。この切換タイミングは予め時刻が定められた放送番組の切換とは異なり、臨機応変且つ、微妙なタイミングで行われるため、中継車と中継現場のカメラの間ではカメラの上部にキュー（開始の合図）表示器を設けてアナウンサーやカメラマンにタイミングを通知する（例えば、特許文献１。）などの工夫がなされる。
【０００３】
また更に、キューが出されるまでアナウンサーの対応、カメラ信号切換等のスタンバイ時間（残時間）表示なども行われる場合もある。しかし、例えば、主局のスタジオと中継車などの中継先との間で番組切換を行う場合、主局から中継車へキューまでの残時間の通知信号を通信回線での遅延などがあり、主局側から中継車へ正確に切換タイミングを通知することが出来ない。特に衛星中継や、海外との生中継を行う場合には、伝送遅延に伴う障害が顕著であるため、数１０ミリ秒などのタイミングを要する信号切換では、カメラ信号切換は、キューによらず、カメラ信号をモニタで観測し、オペレータが放送中の信号が切り換えられることを人的に観測して手動で切り換えるなど待機操作が不備である問題があった。
【０００４】
また、衛星等を介した伝送遅れ時間が０．１秒以上になると、音声や、画面上の動作に受信者が遅れを検知するようになり、キューを受けてからの動作がスムーズな放送受信にならない問題もある。
【特許文献１】特開２０００−１７４７２０号公報  （第９頁、第１図）
【発明の開示】
【発明が解決しようとする課題】
【０００５】
主局のスタジオと中継車などの中継先との間で番組切換を行う場合主局から中継車へキューまでの残時間の通知信号を通信回線での遅延などがあり、主局側から中継車へ正確に切換タイミングを通知することが出来ず、待機操作が不備である問題があった。
【０００６】
本発明は上記問題を解決するためになされたもので主局側から中継車へ、切換（キュー）までの残時間を正確に通知する放送時間表示システム、およびその表示方法を提供することを目的とする。
【課題を解決するための手段】
【０００７】
上記目的を達成するために、本発明の放送時間表示システムは、主局に設置されるコマンド部から地方局、または中継車等に設置されるリモート表示部へ向けて番組の切換タイミングまでの残時間情報を伝送する伝送部を介して通知して表示する放送時間表示システムにおいて、第１の標準時計と、番組の切換タイミングまでの残り時間を出力するキュー設定部と、前記第１の標準時計の時刻情報を入力し、前記キュー設定部から前記残時間が入力された場合、前記残時間が入力された時刻に前記残時間を加えたキュー時刻を生成して出力する第１の計算部と、前記計算部が出力する前記キュー時刻を前記伝送部を介して送信する送信部とを備えるコマンド部と、前記第１の標準時計と同期した時刻情報を出力する第２の標準時計と、前記伝送部から前記キュー時刻を受信する受信部と、前記受信部が受信した前記キュー時刻と、前記第２の標準時計から入力される時刻情報との間の差を求めて、前記切換タイミングまでの残時間を算出する第２の計算部と、前記第２の計算部が前記算出した前記残時間を表示するキュー表示部とを備えるリモート表示部とを具備する事を特徴とする。
【０００８】
また、本発明の放送時間表示システムの表示制御方法は、主局から地方局、または中継車等へ向けて番組の切換タイミングまでの残時間情報を伝送する伝送部を介して通知して表示する放送時間表示システムの表示制御方法において、前記放送時間表示システムは、主局に設置されるコマンド部と、地方局、または中継車等に設置されるリモート表示部と、伝送部とを備え、前記コマンド部は、第１の標準時計と、番組の切換タイミングまでの残り時間を出力するキュー設定部と、計算部と、送信部とを備え、前記計算部は、前記第１の標準時計の時刻情報を入力し、前記キュー設定部から前記残時間が入力された場合、前記残時間が入力された時刻に前記残時間を加えたキュー時刻を生成して前記送信部へ出力し、前記計算部から前記キュー時刻が入力された前記送信部は、前記キュー時刻を更に前記伝送部へ送信し、前記伝送部は、送信された前記キュー時刻を前記リモート表示部へ伝送し、前記リモート表示部は、受信部と、前記第１の標準時計と同期した時刻情報を出力する第２の標準時計と、第２の計算部と、キュー表示部とを備え、前記伝送部から前記キュー時刻を受信した受信部は、前記受信したキュー時刻を前記第２の計算部へ出力し、前記キュー時刻を入力した前記第２の計算部は、前記受信した前記キュー時刻と、前記第２の標準時計から入力される時刻情報との間の差を求めて、前記切換タイミングまでの第２の残時間を算出してキュー表示部へ出力し、前記第２の計算部が前記出力した前記第２の残時間を受信した前記キュー表示部は、前記第２の残時間を表示することを特徴とする。
【発明の効果】
【０００９】
本発明によれば、主局側から地方局のスタジオまたは中継車等へ、切換タイミング（キュー）までの残時間を正確に通知して表示する放送時間表示システム、および表示制御方法を提供することが出来る。
【発明を実施するための最良の形態】
【００１０】
以下、図面を参照して本発明の実施例を説明する。
【実施例】
【００１１】
図１は、本発明の実施例に係る放送時間表示システムの構成図である。  
図１において放送時間表示システムは、主局側に設置されるコマンド部１と、中継車、または、地方局等の遠隔スタジオにそれぞれ設置されるリモート表示部２と、伝送部３とを備える。伝送部３は、コマンド部１からリモート表示部２へ残時間通知信号を伝送する通信手段であり、光通信、や衛星通信などの様々な通信媒体による専用線、公衆回線等が使用される。
【００１２】
図２、図３はそれぞれ、図１におけるコマンド部１、リモート表示部２の機能構成を示すブロック図である。  
図２においてコマンド部１は、例えば、主局のスタジオの制御卓等に設置され、内部バス等でそれぞれが接続される標準時計１１、キュー設定部１２、計算部１３、送信部１４を備えている。標準時計１１は、ＪＪＹやＧＰＳ等の時刻情報を利用した高精度の時計であり、後述のリモート表示器２が備える標準時計２１と同期し、時刻情報を内部バスを介して計算部１３へ出力している。
【００１３】
キュー設定部１２は、コマンドボタン１２１、表示されないキーボード、ダイヤル等をそなえ、主局のオペレータがキューを出すまでの待機時間（残時間ｔｒｃ）を設定して入力する入力手段である。設定入力された残時間ｔｒｃのデータは、内部バスを介して計算部１３へ出力される。
【００１４】
計算部１３は、標準時計１１から入力される時刻情報を監視し、キュー設定部１２から入力された残時間ｔｒｃから、キュー時刻ｔｃを算出して内部バスを介して送信部１４へ出力する。送信部１４は、入力されたキュー時刻を伝送部３を介してリモート表示部２へ送信する。なお、この送信部１３から送信されるキュー時刻ｔｃの送信先は、中継先と接続される連絡用の回線である伝送部３で設定される。
【００１５】
図３においてリモート表示部２は、例えば、地方局のスタジオの制御卓等に設置され、内部バス等でそれぞれが接続される標準時計２１、キュー表示部２２、計算部２３、受信部２４を備えている。標準時計２１は、ＪＪＹやＧＰＳ等の時刻情報を利用した高精度の時計であり、コマンド部１が備える標準時計１１と同期し、時刻情報を内部バスを介して計算部２３へ出力している。
【００１６】
受信部２４は、伝送部３を介して受信したキュー時刻ｔｃを内部バスを介して計算部２３へ出力する。計算部２３は、キュー時刻ｔｃと標準時計２１から入力される時刻情報との差を求め、キュー時刻ｔｃ迄の残時間、待機時間ｔｃｒを内部バスを介してキュー表示部２２へ、時々刻々出力する。
【００１７】
キュー表示部２２は、入力される待機時間ｔｃｒを表示し、アナウンサーやカメラマン等のオペレータは、所要の待機、または放送の作業を行う。
【００１８】
図４は、本発明の実施例に関わる放送時間表示システムの動作手順を説明するフローチャートである。  
以下、図２、図３の機能ブロック図と、図４のフローチャートとを参照して放送時間表示システムの動作手順を説明する。
【００１９】
今、主局では、ニュース番組でアナウンサーがニュース原稿を読み上げており、ニュース番組中で紹介している海外の支局が現場で中継取材中であるイベントが放送される予定であるとする。主局のオペレータは、アナウンサーの原稿読み上げから、２０秒後に現場中継に切り換えると判断して、コマンド部１のキュー設定部１２のキーボード（図示せず）で２０秒を設定して（ステップｓ１）コマンドボタン１２１を押し下げる。
【００２０】
計算部１３は、キュー設定部１２から残時間ｔｃｒとして２０秒を受信すると、標準時計１１から時刻情報を入力（ステップｓ２）する。現在時刻が、例えば、１２時１０分１０秒０２であったとすると、キュー時刻ｔｃをその２０秒後の１２時１０分２０秒０２として送信部１４へ出力する（ステップｓ３）。送信部１４は、伝送部３へキュー時刻ｔｃを送信（ステップｓ４）すると海外支局の中継現場では、中継車に設置されたリモート表示部２の受信部２４が、衛星回線等を経由する伝送部３からキュー時刻ｔｃを受信する（ステップｓ５）。
【００２１】
受信部２４は受信したキュー時刻ｔｃを内部バスを介して計算部２３へ出力する（ステップｓ６）。計算部２３は、キュー時刻ｔｃが入力されると、それ以降、標準時計２１からの時刻情報を時々刻々読み出し（ステップｓ７）、キュー時刻ｔｃとの差を求め、海外支局側での残時間ｔｒｒを算出して（ステップｓ８）、時々刻々キュー表示部２２へ出力する（ステップｓ９）。
【００２２】
計算部２３では、衛星回線等を介してキュー時刻ｔｃを受信するため伝搬遅延時間が０．１５秒発生しているとすると、最初にキュー時刻を受信する時刻は、主局の送信時刻１２時１０分１０秒１７である。従って、１９．８３秒の残時間ｔｒｒがキュー表示部２２へ最初に表示され、それ以降残時間が減少表示される。
【００２３】
アナウンサーやカメラマンは、この残時間表示を監視することにより、１秒以下のタイミングで、発声や、カメラ信号の切換処理を行い、画面や番組進行をスムーズに進めることが出来る。
【００２４】
また、残時間が「０」になった時刻に、キュー表示部２２にキュー（合図）表示、を行い、また更に切換信号を出力する機能を持たせ、数１０ミリ秒以下のカメラ信号等の切換に利用するようにしても良い。
【００２５】
また、上記説明では、主局から中継車等へ残り時間を通知するものであったが、反対に中継車等から、主局に残り時間を送信するものであっても良い。
【００２６】
以上の様に、本発明によれば、伝送路で発生する遅延時間等の発生に影響されることなく、番組切換の残時間表示を正確にすることが出来る。
【図面の簡単な説明】
【００２７】
【図１】本発明の実施例に係る放送時間表示システムの構成図。
【図２】コマンド部の機能構成を示すブロック図。
【図３】リモート表示部の機能構成を示すブロック図。
【図４】本発明の実施例に関わる放送時間表示システムの動作手順を説明するフローチャート。
【符号の説明】
【００２８】
１  コマンド部
１１  標準時計
１２  キュー設定部
１３  計算部
１４  送信部
２  リモート表示部
２１  標準時計
２２  キュー表示部
２３  計算部
２４  受信部
３  伝送部
【図１】
2007060361.tif 000003
【図２】
2007060361.tif 000004
【図３】
2007060361.tif 000005
【図４】
2007060361.tif 000006